(57)【要約】【課題】画像形成時に、感光体とクリーニングローラとの周速差を大きくすることのできる画像形成装置を提供すること。【解決手段】  プリンタ１は、用紙Ｐに画像形成可能なプリンタ１であって、第１軸線Ａについて回転可能に構成される感光ドラム１２と、第１軸線Ａと平行な第２軸線Ｂについて回転可能であり、感光ドラム１２に接触し、感光ドラム１２の表面をクリーニングするように構成されるクリーニングローラ１５とを備え、クリーニングローラ１５は、画像形成時に、回転を停止して、感光ドラム１２の表面上の残トナーを掻き取るように構成され、非画像形成時に、回転することにより感光ドラム１２の表面上から掻き取った残現像剤を感光ドラム１２に移動させるように構成されている。【選択図】図２
2015172699.tif 000002
【特許請求の範囲】
【請求項１】
回転可能な感光体と、
回転可能であり、前記感光体に接触し、前記感光体の表面をクリーニングするように構成されるクリーニングローラと
を備え、
前記クリーニングローラは、
画像形成時に、回転を停止して、前記感光体の表面上の残現像剤を掻き取るように構成され、
非画像形成時に、回転することにより、前記感光体の表面上から掻き取った残現像剤を前記感光体に移動させるように構成されている
ことを特徴とする、画像形成装置。
【請求項２】
前記画像形成時は、前記感光体における静電潜像形成開始から、現像剤像の記録媒体への転写完了までの間であり、
前記非画像形成時は、前記記録媒体への転写完了後である
ことを特徴とする、請求項１に記載の画像形成装置。
【請求項３】
前記クリーニングローラは、電源投入時から、前記感光体における最初の静電潜像形成開始までの間に、回転することを特徴とする、請求項１または２に記載の画像形成装置。
【請求項４】
前記感光体に回転駆動力を入力するように構成される第１駆動源と、
前記第１駆動源とは独立して駆動し、前記クリーニングローラに回転駆動力を入力するように構成される第２駆動源と
を備え、
前記第２駆動源は、
前記画像形成時に、駆動を停止し、
前記非画像形成時に、駆動するように構成されている
ことを特徴とする、請求項１〜３のいずれか一項に記載の画像形成装置。
【請求項５】
前記クリーニングローラと当接することにより、前記クリーニングローラの回転を規制するように構成される規制手段をさらに備え、
前記規制手段は、
前記画像形成時に、前記クリーニングローラと当接し、
前記非画像形成時に、前記クリーニングローラと離間するように構成されている
ことを特徴とする、請求項１〜３のいずれか一項に記載の画像形成装置。
【請求項６】
前記クリーニングローラは、前記感光体の回転に伴って従動回転するように構成されていることを特徴とする、請求項１〜５のいずれか一項に記載の画像形成装置。
【請求項７】
前記クリーニングローラは、回転を停止する毎に、前記感光体に対して、前記クリーニングローラの周面における異なる位置で接触することを特徴とする、請求項１〜６のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、感光ドラムと、感光ドラムの表面に接触し、感光ドラムの表面に付着する残トナーを捕捉するクリーニングローラとを有するプリンタが知られている。
【０００３】
このようなプリンタでは、クリーニングローラは、画像形成時には、感光ドラムの表面の残トナーを捕捉し、非画像形成時には、捕捉した残トナーを再び感光ドラム上に戻すように構成されている（例えば、特許文献１参照）。
【０００４】
なお、このクリーニングローラは、常に、感光ドラムに対する周速比が約１．３倍となる回転速度で、回転駆動している。
【先行技術文献】
【特許文献】
【０００５】
【特許文献１】特開２００２−２１４９９４号公報
【発明の概要】
【発明が解決しようとする課題】
【０００６】
一般的に、クリーニングローラによって、感光ドラムの表面の残トナーおよび異物を捕捉しようとする場合、感光ドラムに対するクリーニングローラの掻き取り効果を向上させるべく、感光ドラムとクリーニングローラとの間の周速差を大きくすることが望ましい。
【０００７】
そこで、本発明の目的は、画像形成時に、感光体とクリーニングローラとの周速差を大きくすることのできる画像形成装置を提供することにある。
【課題を解決するための手段】
【０００８】
（１）上記した目的を達成するために、本発明の画像形成装置は、回転可能な感光体と、回転可能であり、感光体に接触し、感光体の表面をクリーニングするように構成されるクリーニングローラとを備え、クリーニングローラは、画像形成時に、回転を停止して、感光体の表面上の残現像剤を掻き取るように構成され、非画像形成時に、回転することにより、感光体の表面上から掻き取った残現像剤を感光体に移動させるように構成されている。
【０００９】
このような構成によれば、クリーニングローラは、画像形成時に、その回転を停止するので、感光体に対する周速差を確実に大きくすることができる。
【００１０】
その結果、画像形成時に、クリーニングローラによって、感光体の表面上の残現像剤および異物を確実に掻き取り、クリーニングすることができる。
【００１１】
また、非画像形成時には、クリーニングローラを回転させて、画像形成時に感光体の表面上から掻き取った残現像剤を、再度、感光体に移動させることができる。
（２）また、画像形成時は、感光体における静電潜像形成開始から、現像剤像の記録媒体への転写完了までの間であり、非画像形成時は、記録媒体への転写完了後であってもよい。
【００１２】
このような構成によれば、クリーニングローラは、感光体における静電潜像形成開始から、現像剤像の記録媒体への転写完了までの間は、感光体の表面上の残現像剤を掻き取り、記録媒体への転写完了後は、感光体に対して残現像剤を移動させるように構成されている。
【００１３】
そのため、画像形成時に、感光体の表面上に残現像剤が残存することを抑制でき、記録媒体に残現像剤が転写されることを抑制することができる。
【００１４】
また、非画像形成時に、画像形成動作を阻害することなく、感光体に対して残現像剤を移動させることができる。
（３）また、クリーニングローラは、電源投入時から、感光体における最初の静電潜像形成開始までの間に、回転してもよい。
【００１５】
このような構成によれば、前回の電源切断時に、感光体の表面上に残存する残現像剤を、次回電源投入してから画像形成動作が実行されるまでの間に、掻き取ることができる。
【００１６】
その結果、次回の画像形成動作時において、記録媒体に残現像剤が転写されることをより抑制することができる。
（４）また、感光体に回転駆動力を入力するように構成される第１駆動源と、第１駆動源とは独立して駆動し、クリーニングローラに回転駆動力を入力するように構成される第２駆動源とを備え、第２駆動源は、画像形成時に、駆動を停止し、非画像形成時に、駆動するように構成されていてもよい。
【００１７】
このような構成によれば、感光体と、クリーニングローラとを異なる駆動源により回転させるので、感光体の回転とは無関係にクリーニングローラを独立して回転させることができる。
【００１８】
そのため、第２駆動源の駆動を停止させることで、感光体とクリーニングローラとの周速差を容易に発生させることができる。
【００１９】
その結果、画像形成時には、感光体の表面上の残現像剤を確実に掻き取り、非画像形成時には、感光体の表面に残現像剤を確実に移動させることができる。
（５）また、クリーニングローラと当接することにより、クリーニングローラの回転を規制するように構成される規制手段をさらに備え、規制手段は、画像形成時に、クリーニングローラと当接し、非画像形成時に、クリーニングローラと離間するように構成されていてもよい。
【００２０】
このような構成によれば、規制手段をクリーニングローラに当接させるという簡易な構成により、クリーニングローラの回転を停止させることができる。
【００２１】
その結果、感光体とクリーニングローラとの周速差を容易に発生させることができる。
（６）また、クリーニングローラは、感光体の回転に伴って従動回転するように構成されていてもよい。
【００２２】
このような構成によれば、クリーニングローラを回転させるときに、感光体の回転に伴って従動回転させるという簡易な構成により、回転させることができる。
（７）また、クリーニングローラは、回転を停止する毎に、感光体に対して、クリーニングローラの周面における異なる位置で接触してもよい。
【００２３】
このような構成によれば、クリーニングローラは、毎回異なる位置で感光体の表面上の残現像剤を掻き取るので、クリーニングローラの劣化を抑制でき、長寿命化を図ることができる。
【発明の効果】
【００２４】
本発明の画像形成装置では、画像形成時に、感光体とクリーニングローラとの周速差を大きくすることができる。
【図面の簡単な説明】
【００２５】
【図１】図１は、本発明の画像形成装置の第１実施形態としてのプリンタの中央断面図である。
【図２】図２は、図１に示すプリンタの駆動伝達の系統を示すブロック図である。
【図３】図３Ａは、図２のＡ−Ａ断面であって、感光ドラムとクリーニングローラとが回転している状態を示す。図３Ｂは、図２のＡ−Ａ断面であって、感光ドラムが回転し、クリーニングローラが停止している状態を示す。
【図４】図４は、本発明の第２実施形態のプリンタの駆動伝達の系統を示すブロック図である。
【図５】図５は、本発明の第３実施形態のプリンタの駆動伝達の系統を示すブロック図である。
【発明を実施するための形態】
【００２６】
１．画像形成装置の全体構成
図１に示すように、画像形成装置の一例としてのプリンタ１は、電子写真方式のモノクロプリンタである。
【００２７】
なお、以下の説明において、プリンタ１の方向に言及するときには、プリンタ１を水平に載置した状態を上下の基準とする。すなわち、図１の紙面上方が上方であり、紙面下方が下方である。また、図１の紙面右方が前方であり、図１の紙面左方が後方である。また、プリンタ１を前方から見たときを左右の基準とする。すなわち、図１の紙面手前が左方であり、紙面奥が右方である。
【００２８】
プリンタ１は、装置本体２と、プロセスカートリッジ３と、スキャナユニット４と、定着ユニット５とを備えている。
【００２９】
装置本体２は、略ボックス形状を有している。装置本体２は、開口部６と、フロントカバー７と、給紙トレイ８と、排紙トレイ９とを備えている。
【００３０】
開口部６は、装置本体２の前端部に配置されている。開口部６は、プロセスカートリッジ３の通過を許容するように、装置本体２の内外を前後方向に連通している。
【００３１】
フロントカバー７は、装置本体２の前端部に配置されている。フロントカバー７は、略板状を有している。フロントカバー７は、上下方向に延び、その下端部を支点として装置本体２の前壁に揺動可能に支持されている。フロントカバー７は、開口部６を開放または閉鎖するように構成されている。
【００３２】
給紙トレイ８は、装置本体２の底部に配置されている。給紙トレイ８は、用紙Ｐを収容するように構成されている。
【００３３】
排紙トレイ９は、装置本体２の上壁に配置されている。排紙トレイ９は、用紙Ｐが載置されるように、装置本体２の上面から下方へ凹んでいる。
【００３４】
プロセスカートリッジ３は、装置本体２の上下方向略中央に収容されている。プロセスカートリッジ３は、開口部６を介して装置本体２に対して装着または離脱するように構成されている。プロセスカートリッジ３は、ドラムカートリッジ１０と、ドラムカートリッジ１０に対して着脱可能な現像カートリッジ１１とを備えている。
【００３５】
ドラムカートリッジ１０は、ドラムフレーム２２と、感光体の一例としての感光ドラム１２と、スコロトロン型帯電器１３と、転写ローラ１４と、クリーニングローラ１５とを備えている。
【００３６】
ドラムフレーム２２は、下端部が閉鎖された有底枠形状を有している。
【００３７】
感光ドラム１２は、ドラムフレーム２２の後端部において、第１軸線Ａを中心として、回転可能に支持されている。
【００３８】
スコロトロン型帯電器１３は、感光ドラム１２の上方において、感光ドラム１２と間隔を隔てて配置されている。
【００３９】
転写ローラ１４は、感光ドラム１２の下方に配置されている。転写ローラ１４の後上端部は、感光ドラム１２の前下端部と接触している。
【００４０】
クリーニングローラ１５は、感光ドラム１２の後方において、感光ドラム１２と平行な第２軸線Ｂを中心として、回転可能に支持されている。クリーニングローラ１５の前端部は、感光ドラム１２の後端部と接触している。
【００４１】
現像カートリッジ１１は、感光ドラム１２の前方において、ドラムフレーム２２に装着されている。現像カートリッジ１１は、現像ローラ１６と、供給ローラ１７と、層厚規制ブレード１８と、トナー収容部１９とを備えている。
【００４２】
現像ローラ１６は、現像カートリッジ１１の後端部に回転可能に支持されている。
現像ローラ１６の後下端部は、感光ドラム１２の前上端部に接触している。
【００４３】
供給ローラ１７は、現像ローラ１６の前下方に配置されている。供給ローラ１７は、現像カートリッジ１１に回転可能に支持されている。供給ローラ１７の後上端部は、現像ローラ１６の前下端部に接触している。
【００４４】
層厚規制ブレード１８は、現像ローラ１６の前上方に配置されている。層厚規制ブレード１８の前下端部は、現像ローラ１６の前上端部に接触している。
【００４５】
トナー収容部１９は、供給ローラ１７および層厚規制ブレード１８の前方に配置されている。トナー収容部１９は、現像剤の一例としてのトナーを収容するように構成されている。
【００４６】
スキャナユニット４は、プロセスカートリッジ３の上方に配置されている。スキャナユニット４は、感光ドラム１２に向けて画像データに基づくレーザービームを出射するように構成されている。
【００４７】
定着ユニット５は、プロセスカートリッジ３の後方に配置されている。定着ユニット５は、加熱ローラ２０と、加熱ローラ２０の下端部に圧接される加圧ローラ２１とを備えている。
【００４８】
プリンタ１が画像形成動作を開始すると、スコロトロン型帯電器１３は、感光ドラム１２の表面を一様に帯電する。スキャナユニット４は、感光ドラム１２の表面を露光する。これにより、画像データに基づく静電潜像が、感光ドラム１２の表面に形成される。
【００４９】
供給ローラ１７は、トナー収容部１９内のトナーを現像ローラ１６に供給する。このとき、トナーは、現像ローラ１６と供給ローラ１７との間で正極性に摩擦帯電され、現像ローラ１６に担持される。層厚規制ブレード１８は、現像ローラ１６に担持されたトナーの層厚を一定厚さに規制する。
【００５０】
そして、現像ローラ１６に担持されたトナーは、感光ドラム１２表面の静電潜像に供給される。これにより、現像剤像の一例としてのトナー像が、感光ドラム１２の表面に担持される。
【００５１】
用紙Ｐは、給紙トレイ８から、各種ローラの回転により、所定のタイミングで１枚ずつ、感光ドラム１２と転写ローラ１４との間に給紙される。感光ドラム１２表面のトナー像は、用紙Ｐが感光ドラム１２と転写ローラ１４との間を通過するときに、用紙Ｐに転写される。
【００５２】
その後、用紙Ｐは、加熱ローラ２０と加圧ローラ２１との間を通過するときに加熱および加圧される。これにより、用紙Ｐ上のトナー像は、用紙Ｐに熱定着される。その後、用紙Ｐは、排紙トレイ９に排紙される。
２．感光ドラムおよびクリーニングローラの詳細
感光ドラム１２は、図２に示すように、ドラム本体２５と、ドラムギア２６と、ドラム軸２４とを備えている。
【００５３】
ドラム本体２５は、左右方向に延びる略円筒形状を有している。詳しくは、ドラム本体２５は、左右方向に延びる略円筒形状を有する金属製の素管と、素管の表面を被覆する樹脂製の感光層とを備えている。
【００５４】
ドラムギア２６は、ドラム本体２５の左端部に、その径方向外方から嵌め合わされている。これによって、ドラムギア２６は、ドラム本体２５に対する相対回転が規制されている。ドラムギア２６は、左右方向に延びる略円柱形状を有し、その周面にギア歯を有している。
【００５５】
ドラム軸２４は、感光ドラム１２の第１軸線Ａに沿うように、ドラム本体２５内に挿通されている。ドラム軸２４は、左右方向に延びる略円柱形状を有している。また、ドラム軸２４の左右方向寸法は、ドラム本体２５の左右方向寸法よりも大きい。これにより、ドラム軸２４の左端部は、ドラムギア２６を左右方向に貫通し、ドラムギア２６よりも左方に配置され、ドラム軸２４の右端部は、ドラム本体２５の右端部よりも右方に配置されている。ドラム軸２４は、ドラム本体２５を相対回転不能に支持している。
【００５６】
そして、感光ドラム１２は、ドラム軸２４の左右方向両端部のそれぞれがドラムカートリッジ１０のドラムフレーム２２に対して、回転可能に支持されている。
【００５７】
クリーニングローラ１５は、ローラ軸２９と、ローラ本体３０と、カップリング３１とを備えている。
【００５８】
ローラ軸２９は、第１軸線Ａと平行な第２軸線Ｂに沿って左右方向に延びる略円柱形状を有している。
【００５９】
ローラ本体３０は、左右方向に延びる略円筒形状を有している。ローラ本体３０は、ローラ軸２９の左右方向両端部を被覆せず、ローラ軸２９の左右方向略中央を被覆している。ローラ本体３０は、ローラ軸２９に相対回転不能に支持されている。
【００６０】
カップリング３１は、ローラ軸２９の左端部に、その径方向外方から嵌め合わされている。これによって、カップリング３１は、ローラ軸２９に対する相対回転が規制されている。カップリング３１は、左右方向に延びる略円柱形状を有しており、その左端部に、後述する駆動伝達部３６と係合される係合歯を備えている。カップリング３１の係合歯は、感光ドラム１２のドラムギア２６よりも左方に配置されている。
【００６１】
そして、クリーニングローラ１５は、ローラ軸２９の左右方向両端部のそれぞれがドラムカートリッジ１０のドラムフレーム２２に対して、回転可能に支持されている。また、クリーニングローラ１５のローラ軸２９の左右方向両端部は、図示しない付勢部材により、常には、感光ドラム１２に向かって付勢されている。これにより、クリーニングローラ１５のローラ本体３０の前端部が、感光ドラム１２のドラム本体２５の後端部に圧接されている。なお、図３に示すように、ローラ本体３０におけるドラム本体２５と圧接している部分をニップ点Ｎとする。
３．プリンタの駆動および電気構成
プリンタ１は、図２に示すように、第１駆動源の一例としての第１モータ３４と、第２駆動源の一例としての第２モータ３５と、駆動伝達部３６と、ＣＰＵ３７とを備えている。
【００６２】
第１モータ３４は、感光ドラム１２と、現像ローラ１６と、供給ローラ１７とを駆動させる回転駆動力を発生するように構成されている。
【００６３】
第１モータ３４は、感光ドラム１２に対して、その回転駆動力を、図示しないギア列を介して、ドラムギア２６に伝達することにより、感光ドラム１２を回転させるように構成されている。
【００６４】
また、第１モータ３４は、現像ローラ１６および供給ローラ１７に対して、その回転駆動力を、図示しないギア列を介して伝達することにより、現像ローラ１６と、供給ローラ１７とを回転させるように構成されている。
【００６５】
第２モータ３５は、第１モータ３４とは独立して駆動し、クリーニングローラ１５を駆動させる回転駆動力を発生するように構成されている。
【００６６】
駆動伝達部３６は、第２軸線Ｂに沿って左右方向に延びる略円柱形状を有しており、装置本体２に支持されている。駆動伝達部３６は、図示しないギア列を介して、第２モータ３５から発生する回転駆動力が伝達されることにより、回転可能に構成されている。駆動伝達部３６は、その右端部に、クリーニングローラ１５のカップリング３１の係合歯と係合される係合歯を備えている。
【００６７】
なお、駆動伝達部３６は、常には、右方に向かって付勢されており、フロントカバー７が開口部６を開放するのに連動し、その付勢力に抗して、左方に移動し、フロントカバー７が開口部６を閉鎖することにより、その付勢力によって、右方に移動する。
【００６８】
これにより、フロントカバー７を開放し、ドラムカートリッジ１０を装置本体２に装着し、フロントカバー７を閉鎖することにより、駆動伝達部３６の係合歯がクリーニングローラ１５のカップリング３１の係合歯と係合され、駆動伝達部３６とカップリング３１とが、相対回転不能に係合される。
【００６９】
こうして、駆動伝達部３６は、第２モータ３５から発生する回転駆動力を、クリーニングローラ１５に伝達し、回転させるように構成されている。
【００７０】
ＣＰＵ３７は、上記した第１モータ３４と、第２モータ３５とに制御信号を入力できるように、接続されている。つまり、ＣＰＵ３７は、第１モータ３４と第２モータ３５とを別々に制御することにより、感光ドラム１２とクリーニングローラ１５とをそれぞれ独立して回転させるように制御するように構成されている。
４．画像形成時における感光ドラムのクリーニング動作
このプリンタ１では、用紙Ｐへの画像形成時に、クリーニングローラ１５によって、感光ドラム１２の表面に残存する残トナーを掻き取り、クリーニングするように構成されている。
【００７１】
具体的には、まず、プリンタ１に電源を投入する。そうすると、プリンタ１は、ＣＰＵ３７の制御により、ウォーミングアップ処理を実行する。
【００７２】
ウォーミングアップ処理では、ＣＰＵ３７は、第１モータ３４と、第２モータ３５とに対して、回転駆動力を発生するように制御信号を入力する。
【００７３】
これにより、図３Ａに示すように、感光ドラム１２は、左側面視時計回りに回転し、クリーニングローラ１５は、ニップ点Ｎにおいて、感光ドラム１２に対して同一方向に回転するように、左側面視反時計回りに回転する。
【００７４】
こうして、ウォーミングアップ処理においては、クリーニングローラ１５に一時的に捕捉されていた残トナーは、ニップ点Ｎにおいて、クリーニングローラ１５から感光ドラム１２に戻されていく。
【００７５】
そして、感光ドラム１２に戻された残トナーは、現像ローラ１６によって回収される。
【００７６】
次いで、ウォーミングアップ処理が完了し、印刷ジョブが入力されると、図１および図２に示すように、ＣＰＵ３７は、感光ドラム１２に対して、スキャナユニット４によって、最初の用紙Ｐに対応する静電潜像を形成するために、第１モータ３４に対して回転駆動力を発生するように制御信号を入力する一方、第２モータ３５に対して駆動を停止するように制御信号を入力する。
【００７７】
これにより、図３Ｂに示すように、感光ドラム１２は、左側面視時計回りに回転し、クリーニングローラ１５は、その回転を停止する。
【００７８】
そうすると、クリーニングローラ１５と感光ドラム１２との間に周速差が発生し、クリーニングローラ１５は、ニップ点Ｎで、感光ドラム１２に対して摺擦される。
【００７９】
そして、クリーニングローラ１５は、感光ドラム１２の表面に残存する残トナーを掻き取り、一時的に捕捉する。
【００８０】
続いて、図１および図２に示すように、感光ドラム１２に形成された静電潜像は、現像ローラ１６からトナーが供給されることにより現像され、感光ドラム１２にトナー像が担持される。
【００８１】
そして、感光ドラム１２に担持されたトナー像は、用紙Ｐに転写される。
【００８２】
こうして、印刷ジョブで入力された用紙Ｐの枚数に対応して、感光ドラム１２に対する静電潜像の形成、トナー像の現像、転写が繰り返される。
【００８３】
そして、最後の用紙Ｐに対応するトナー像が用紙Ｐに転写された後、ＣＰＵ３７は、第１モータ３４と、第２モータ３５とに対して、回転駆動力を発生するように制御信号を入力する。
【００８４】
これにより、図３Ａに示すように、感光ドラム１２は、引き続き、左側面視時計回りに回転し、クリーニングローラ１５は、再び、左側面視反時計回りに回転し始める。
【００８５】
こうして、最初の用紙Ｐに対応する静電潜像の形成開始時から、最後の用紙Ｐにトナー像が転写されるまでの間に、感光ドラム１２の表面から掻き取られ、クリーニングローラ１５に一時的に捕捉された残トナーは、ニップ点Ｎにおいて、クリーニングローラ１５から感光ドラム１２に戻されていく。
【００８６】
そして、感光ドラム１２に戻された残トナーは、現像ローラ１６によって回収される。
【００８７】
次いで、クリーニングローラ１５が少なくとも１回転以上回転した後、ＣＰＵ３７は、第２モータ３５に対して駆動を停止するように制御信号を入力する。
【００８８】
これにより、クリーニングローラ１５は、その回転を停止する。
【００８９】
そして、最後の用紙Ｐが排紙トレイ９に排紙された後、ＣＰＵ３７は、第１モータ３４に対して駆動を停止するように制御信号を入力する。
【００９０】
これにより、感光ドラム１２は、その回転を停止する。
【００９１】
以上により、用紙Ｐに対して画像が形成され、感光ドラム１２のクリーニング動作が完了する。
【００９２】
また、ＣＰＵ３７が次の印刷ジョブを入力することにより、上記のクリーニング動作が繰り返される。そうすると、図３Ａおよび図３Ｂに示すように、クリーニングローラ１５は、回転と停止を繰り返し、停止する毎に、感光ドラム１２に対して、クリーニングローラ１５の周面における異なる位置で接触する。
【００９３】
具体的には、前回の印刷ジョブが入力されたときに、クリーニングローラ１５の回転が停止し、感光ドラム１２と接触していたクリーニングローラ１５における旧ニップ点Ｏは、次回の印刷ジョブが入力されたときに、クリーニングローラ１５の回転が停止し、感光ドラム１２と接触するクリーニングローラ１５におけるニップ点Ｎよりも、クリーニングローラ１５の回転方向の下流に位置する。
【００９４】
なお、クリーニングローラ１５の周面におけるニップ点Ｎから、旧ニップ点Ｏまでの距離は、一定の間隔に定められるものではなく、クリーニングローラ１５の回転量によっては、クリーニングローラ１５における同一位置で、再度、感光ドラム１２と接触する場合もある。
５．作用効果
（１）このプリンタ１によれば、図２および図３Ｂに示すように、クリーニングローラ１５は、画像形成時に、その回転を停止するので、感光ドラム１２に対する周速差を確実に大きくすることができる。
【００９５】
その結果、画像形成時に、クリーニングローラ１５によって、感光ドラム１２の表面上の残トナーを確実に掻き取り、クリーニングすることができる。
【００９６】
また、このプリンタ１によれば、図２および図３Ａに示すように、非画像形成時には、クリーニングローラ１５を回転させて、画像形成時に感光ドラム１２の表面上から掻き取った残トナーを、再度、感光ドラム１２に移動させることができる。
（２）また、このプリンタ１によれば、図２および図３Ｂに示すように、クリーニングローラ１５は、感光ドラム１２における静電潜像形成開始から、トナー像の用紙Ｐへの転写完了までの間は、感光ドラム１２の表面上の残トナーを掻き取り、図２および図３Ａに示すように、用紙Ｐへの転写完了後は、感光ドラム１２に対して残トナーを移動させるように構成されている。
【００９７】
そのため、画像形成時に、感光ドラム１２の表面上に残トナーが残存することを抑制でき、用紙Ｐに残トナーが転写されることを抑制することができる。
【００９８】
また、非画像形成時に、画像形成動作を阻害することなく、感光ドラム１２に対して残トナーを移動させることができる。
（３）また、このプリンタ１によれば、図２および図３Ｂに示すように、前回の電源切断時に、感光ドラム１２の表面上に残存する残トナーを、次回電源投入してから画像形成動作が実行されるまでの間に、掻き取ることができる。
【００９９】
その結果、次回の画像形成動作時において、用紙Ｐに残トナーが転写されることをより抑制することができる。
（４）また、このプリンタ１によれば、図２に示すように、感光ドラム１２と、クリーニングローラ１５とを異なる駆動源により回転させるので、感光ドラム１２の回転とは無関係にクリーニングローラ１５を独立して回転させることができる。
【０１００】
そのため、第２モータ３５の駆動を停止させることで、感光ドラム１２とクリーニングローラ１５との周速差を容易に発生させることができる。
【０１０１】
その結果、画像形成時には、感光ドラム１２の表面上の残トナーを確実に掻き取り、非画像形成時には、感光ドラム１２の表面に残トナーを確実に移動させることができる。
（５）また、このプリンタ１によれば、図３Ａおよび図３Ｂに示すように、クリーニングローラ１５は、毎回異なる位置で感光ドラム１２の表面上の残トナーを掻き取るので、クリーニングローラ１５の劣化を抑制でき、長寿命化を図ることができる。
６．第２実施形態
図４を参照して、プリンタ１の第２実施形態を説明する。なお、第２実施形態において、上記した第１実施形態と同様の部材には同様の符号を付し、その説明を省略する。
（１）第２実施形態のプリンタの構成
プリンタ１は、第２モータ３５と、駆動伝達部３６とを備えておらず、進退機構４１と、規制手段の一例としての回転規制部４２とを備えている。
【０１０２】
進退機構４１は、公知のロッドシリンダなどからなり、ＣＰＵ３７からの制御信号が入力されることにより、図示しないシリンダチューブに対して、内部の図示しないピストンロッドが進退するように構成されている。
【０１０３】
回転規制部４２は、上記した第１実施形態の駆動伝達部３６と異なり、フロントカバー７の開閉によって進退する構成を備えておらず、進退機構４１の図示しないピストンロッドに接続されている。回転規制部４２は、第２軸線Ｂに沿って左右方向に延びる略円柱形状を有しており、装置本体２に対して、回転不能である。回転規制部４２は、その右端部に、クリーニングローラ１５のカップリング３１の係合歯と係合される係合歯を備えている。
【０１０４】
これにより、回転規制部４２は、右方に進出し、その係合歯がクリーニングローラ１５のカップリング３１の係合歯と係合される進出位置と、左方に退避し、その係合歯とクリーニングローラ１５のカップリング３１の係合歯との係合が解除される退避位置とに移動可能に構成されている。
【０１０５】
そして、このプリンタ１では、第１実施形態と同様に画像形成動作が実行され、クリーニングローラ１５によって、感光ドラム１２の表面に残存する残トナーを掻き取り、クリーニングするように構成されている。
【０１０６】
具体的には、プリンタ１のウォーミングアップ処理の実行中、ＣＰＵ３７は、第１モータ３４に対して、回転駆動力を発生するように制御信号を入力する。
【０１０７】
これにより、感光ドラム１２は、左側面視時計回りに回転する。
【０１０８】
また、ＣＰＵ３７は、進退機構４１に対して、回転規制部４２を退避位置に位置させるように制御信号を入力する。
【０１０９】
これにより、クリーニングローラ１５には、駆動力が入力されず、クリーニングローラ１５の前端部が感光ドラム１２の後端部に対して圧接されていることにより、クリーニングローラ１５は、感光ドラム１２の回転に伴って、従動回転する。
【０１１０】
そして、クリーニングローラ１５に一時的に捕捉されていた残トナーは、ニップ点Ｎにおいて、クリーニングローラ１５から感光ドラム１２に戻され、現像ローラ１６によって回収される。
【０１１１】
次いで、ウォーミングアップ処理が完了し、印刷ジョブが入力されると、ＣＰＵ３７は、第１モータ３４に対して回転駆動力を発生するように制御信号を入力する。
【０１１２】
これにより、感光ドラム１２は、左側面視時計回りに回転する。
【０１１３】
また、ＣＰＵ３７は、進退機構４１に対して回転規制部４２を進出位置に位置させるように制御信号を入力する。
【０１１４】
これにより、回転規制部４２の係合歯がクリーニングローラ１５のカップリング３１の係合歯と係合され、クリーニングローラ１５は、その回転が規制され、停止する。
【０１１５】
そうすると、クリーニングローラ１５と感光ドラム１２との間に周速差が発生し、クリーニングローラ１５は、ニップ点Ｎで、感光ドラム１２に対して摺擦される。
【０１１６】
そして、クリーニングローラ１５は、感光ドラム１２の表面に残存する残トナーを掻き取り、一時的に捕捉する。
【０１１７】
そして、最後の用紙Ｐに対応するトナー像が用紙Ｐに転写された後、ＣＰＵ３７は、第１モータ３４に対して、回転駆動力を発生するように制御信号を入力する。
【０１１８】
これにより、感光ドラム１２は、引き続き、左側面視時計回りに回転する。
【０１１９】
また、ＣＰＵ３７は、進退機構４１に対して、回転規制部４２を退避位置に位置させるように制御信号を入力する。
【０１２０】
これにより、回転規制部４２の係合歯とクリーニングローラ１５のカップリング３１の係合歯との係合が解除され、クリーニングローラ１５は、再び、感光ドラム１２の回転に伴って、従動回転し始める。
【０１２１】
こうして、上記した第１実施形態と同様に、最初の用紙Ｐに対応する静電潜像の形成開始時から、最後の用紙Ｐにトナー像が転写されるまでの間に、感光ドラム１２の表面から掻き取られ、クリーニングローラ１５に一時的に捕捉された残トナーは、ニップ点Ｎにおいて、クリーニングローラ１５から感光ドラム１２に戻されていく。
【０１２２】
そして、感光ドラム１２に戻された残トナーは、現像ローラ１６によって回収される。
【０１２３】
次いで、クリーニングローラ１５が少なくとも１回転以上回転した後、ＣＰＵ３７は、進退機構４１に対して、回転規制部４２を進出位置に位置させるように制御信号を入力する。
【０１２４】
これにより、回転規制部４２の係合歯がクリーニングローラ１５のカップリング３１の係合歯と係合され、クリーニングローラ１５は、その回転が規制され、停止する。
【０１２５】
そして、最後の用紙Ｐが排紙トレイ９に排紙された後、ＣＰＵ３７は、第１モータ３４に対して駆動を停止するように制御信号を入力する。
【０１２６】
これにより、感光ドラム１２は、その回転を停止する。
【０１２７】
以上により、用紙Ｐに対して画像が形成され、感光ドラム１２のクリーニング動作が完了する。
（２）第２実施形態の作用効果
第２実施形態によれば、図４に示すように、回転規制部４２をクリーニングローラ１５に当接させるという簡易な構成により、クリーニングローラ１５の回転を停止させることができる。
【０１２８】
その結果、感光ドラム１２とクリーニングローラ１５との周速差を容易に発生させることができる。
【０１２９】
また、第２実施形態によれば、図４に示すように、クリーニングローラ１５を回転させるときに、感光ドラム１２の回転に伴って従動回転させるという簡易な構成により、回転させることができる。
【０１３０】
また、第２実施形態においても、上記した第１実施形態と同様の作用効果を得ることができる。
７．第３実施形態
図５を参照して、プリンタ１の第３実施形態を説明する。なお、第３実施形態において、上記した第２実施形態と同様の部材には同様の符号を付し、その説明を省略する。
（１）第３実施形態のプリンタの構成
クリーニングローラ１５は、カップリング３１を備えておらず、クリーニングローラギア４５を備えている。
【０１３１】
また、プリンタ１は、第２モータ３５、駆動伝達部３６、および、回転規制部４２を備えておらず、規制手段の一例としての回転規制部４６を備えている。
【０１３２】
クリーニングローラギア４５は、ローラ軸２９の左端部に、その径方向外方から嵌め合わされている。これによって、クリーニングローラギア４５は、ローラ軸２９に対する相対回転が規制されている。クリーニングローラギア４５は、左右方向に延びる略円柱形状を有しており、その周面にギア歯を有している。
【０１３３】
回転規制部４６は、進退機構４１の図示しないピストンロッドに接続されている。回転規制部４６は、前後方向に延びる略円柱形状を有している。回転規制部４６は、その前下端部に、クリーニングローラ１５のクリーニングローラギア４５のギア歯と噛合可能な噛合爪を備えている。
【０１３４】
これにより、回転規制部４６は、前方に進出し、その噛合爪がクリーニングローラ１５のクリーニングローラギア４５のギア歯と噛合される進出位置と、後方に退避し、その噛合爪とクリーニングローラ１５のクリーニングローラギア４５のギア歯との噛合が解除される退避位置とに移動可能に構成されている。
【０１３５】
そして、ウォーミングアップ処理の実行中、ＣＰＵ３７は、進退機構４１に対して制御信号を入力し、回転規制部４６を退避位置に位置させて、クリーニングローラ１５を感光ドラム１２に対して従動回転させる。
【０１３６】
また、印刷ジョブが入力されると、ＣＰＵ３７は、進退機構４１に対して制御信号を入力し、回転規制部４６を進出位置に位置させて、クリーニングローラ１５の回転を停止させる。
【０１３７】
また、最後の用紙Ｐに対応するトナー像が用紙Ｐに転写された後、ＣＰＵ３７は、進退機構４１に対して制御信号を入力し、回転規制部４６を再度退避位置に位置させて、クリーニングローラ１５を感光ドラム１２に対して従動回転させる。
【０１３８】
これにより、クリーニングローラ１５は、感光ドラム１２の表面に残存する残トナーを掻き取り、クリーニングする。
（２）第３実施形態の作用効果
第３実施形態によれば、図５に示すように、回転規制部４６をクリーニングローラ１５に当接させるという簡易な構成により、クリーニングローラ１５の回転を停止させることができる。
【０１３９】
その結果、感光ドラム１２とクリーニングローラ１５との周速差を容易に発生させることができる。
【０１４０】
また、第３実施形態においても、上記した第１実施形態および第２実施形態と同様の作用効果を得ることができる。
８．変形例
上記した各実施形態において、印刷ジョブが入力され、最初の用紙Ｐに対応する静電潜像の形成開始時から、最後の用紙Ｐにトナー像が転写されるまでの間、クリーニングローラ１５は回転を停止するように構成されているが、例えば、１０枚毎や、１００枚毎などのタイミングで、クリーニングローラ１５を回転させ、クリーニングローラ１５に一時的に捕捉された残トナーを感光ドラム１２に戻すように構成することもできる。
【０１４１】
さらに、１枚毎のタイミングで、クリーニングローラ１５を回転させ、クリーニングローラ１５に一時的に捕捉された残トナーを感光ドラム１２に戻すように構成することもできる。
【０１４２】
また、上記した各実施形態において、最後の用紙Ｐへのトナー像の転写後、クリーニングローラ１５は、感光ドラム１２よりも先に、その回転を停止するように構成されているが、最後の用紙Ｐが排紙トレイ９に排紙された後、具体的には、感光ドラム１２と同じタイミングで、その回転を停止するように構成することもできる。
【０１４３】
また、印刷ジョブによって印刷される用紙Ｐの枚数は、１枚であってもよい。この場合、１枚の用紙Ｐに対応する静電潜像形成開始時から、その用紙Ｐにトナー像が転写されるまでの間、クリーニングローラ１５が回転を停止するように構成される。
【０１４４】
このような変形例においても、上記した各実施形態と同様の作用効果を得ることができる。
【符号の説明】
【０１４５】
１      プリンタ
１２    感光ドラム
１５    クリーニングローラ
３４    第１モータ
３５    第２モータ
４２    回転規制部
４６    回転規制部
【図１】
2015172699.tif 000003
【図２】
2015172699.tif 000004
【図３】
2015172699.tif 000005
【図４】
2015172699.tif 000006
【図５】
2015172699.tif 000007